(57)【要約】【課題】糸状部材を使用した不正行為が行われた事実を把握することができ、ひいては不正行為の抑止にもつながる遊技機を提供する。【解決手段】遊技球に付着された糸状部材を切断するための糸切り部材３０を、前後方向を軸として回動することにより、その姿勢を通常姿勢と検知姿勢との間で変更可能に設けている。そして、通常姿勢にある糸切り部材３０に糸状部材が干渉することにより、糸切り部材３０が回動して通常姿勢から検知姿勢へと姿勢を変更すると、糸切り部材３０の検知片３２がフォトセンサ６０により検知されることで、メイン制御装置６１が糸切り部材の姿勢変更を検知するようにした。【選択図】図１２
2018201687.tif 000002
【特許請求の範囲】
【請求項１】
遊技球が流下可能な遊技領域内へ遊技球を打ち込むための発射手段が設けられているとともに、
前記発射手段の近傍で、遊技球の発射方向での下流側となる位置に、糸状部材が付着された遊技球が前記発射手段から発射された際、前記糸状部材と自身との摩擦により前記糸状部材を切断する糸切り手段が設けられた遊技機であって、
前記糸切り手段が、前後方向を軸として回動することにより、その姿勢を変更可能に設けられている一方、
前記糸切り手段の姿勢を検知可能な検知手段が設けられており、
通常姿勢にある前記糸切り手段に前記糸状部材が干渉することにより、前記糸切り手段が回動して前記通常姿勢から検知姿勢へと姿勢を変更すると、前記検知手段が前記糸切り手段の姿勢変更を検知することを特徴とする遊技機。
【請求項２】
前記通常姿勢にある前記糸切り手段に接触し、前記糸切り手段を前記通常姿勢で保持する第１の保持部と、前記検知姿勢にある前記糸切り手段に接触し、前記糸切り手段を前記検知姿勢で保持する第２の保持部とを有する保持手段が設けられており、
前記通常姿勢にある前記糸切り手段に前記糸状部材が干渉することにより、前記糸切り手段が前記第１の保持部による保持力に抗して回動し、前記通常姿勢から前記検知姿勢へと姿勢を変更すると、前記第２の保持部が前記糸切り手段を前記検知姿勢のまま保持することを特徴とする請求項１に記載の遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機では、釣り糸やピアノ線等の糸状部材を付着させた遊技球を遊技領域内へ打ち込み、遊技領域内で遊技球を操って意図的に球詰まり生じさせたり、チューリップ式電動役物等へ不正に入賞させるという不正行為が問題となっている。そこで、そのような不正行為を防止すべく、たとえば特許文献１に記載されているように、供給皿内の遊技球を発射装置へ送るための整流路内、遊技球を発射装置へ送り込む送出口の近傍位置等に、遊技球に付着された糸状部材を切断するための糸切り部材を設けるといった構成が考案されている。
【先行技術文献】
【特許文献】
【０００３】
【特許文献１】特開２０１５−２２１０９９号公報
【発明の概要】
【発明が解決しようとする課題】
【０００４】
上記従来技術では、糸状部材を切断することはできるものの、不正行為が行われた事実を検知するわけではない。したがって、そのような不正行為が行われた事実を、たとえば遊技ホール側が把握できなかった。また、糸状部材として鉄線等が使用されると、糸切り部材で切断することができないため、不正行為を防止することができなかった。
【０００５】
そこで、本発明は、上記問題に鑑みなされたものであって、糸状部材を使用した不正行為が行われた事実を把握することができ、ひいては不正行為の抑止にもつながる遊技機を提供しようとするものである。
【課題を解決するための手段】
【０００６】
上記目的を達成するために、本発明のうち請求項１に記載の発明は、遊技球が流下可能な遊技領域内へ遊技球を打ち込むための発射手段が設けられているとともに、前記発射手段の近傍で、遊技球の発射方向での下流側となる位置に、糸状部材が付着された遊技球が前記発射手段から発射された際、前記糸状部材と自身との摩擦により前記糸状部材を切断する糸切り手段が設けられた遊技機であって、前記糸切り手段が、前後方向を軸として回動することにより、その姿勢を変更可能に設けられている一方、前記糸切り手段の姿勢を検知可能な検知手段が設けられており、通常姿勢にある前記糸切り手段に前記糸状部材が干渉することにより、前記糸切り手段が回動して前記通常姿勢から検知姿勢へと姿勢を変更すると、前記検知手段が前記糸切り手段の姿勢変更を検知することを特徴とする。
請求項２に記載の発明は、請求項１に記載の発明において、前記通常姿勢にある前記糸切り手段に接触し、前記糸切り手段を前記通常姿勢で保持する第１の保持部と、前記検知姿勢にある前記糸切り手段に接触し、前記糸切り手段を前記検知姿勢で保持する第２の保持部とを有する保持手段が設けられており、前記通常姿勢にある前記糸切り手段に前記糸状部材が干渉することにより、前記糸切り手段が前記第１の保持部による保持力に抗して回動し、前記通常姿勢から前記検知姿勢へと姿勢を変更すると、前記第２の保持部が前記糸切り手段を前記検知姿勢のまま保持することを特徴とする。
【発明の効果】
【０００７】
本発明によれば、遊技球に付着された糸状部材を切断するための糸切り手段を、前後方向を軸として回動することにより、その姿勢を変更可能に設ける一方、糸切り手段の姿勢を検知可能な検知手段を設けている。そして、通常姿勢にある糸切り手段に糸状部材が干渉することにより、糸切り手段が回動して通常姿勢から検知姿勢へと姿勢を変更すると、検知手段が糸切り手段の姿勢変更を検知するようになっている。したがって、たとえば遊技ホール側が、糸状部材を用いた不正行為が行われたという事実を把握できる。さらに、鉄線等の切断不可能な糸状部材を使用したとしても、糸状部材を用いた不正行為が行われたという事実は把握されることになるため、不正行為を抑止効果をも期待することができる。
また、請求項２に記載の発明によれば、通常姿勢にある糸切り手段に接触し、糸切り手段を通常姿勢で保持する第１の保持部と、検知姿勢にある糸切り手段に接触し、糸切り手段を検知姿勢で保持する第２の保持部とを有する保持手段を設けている。そして、通常姿勢にある糸切り手段に糸状部材が干渉することにより、糸切り手段が第１の保持部による保持力に抗して回動し、通常姿勢から検知姿勢へと姿勢を変更すると、第２の保持部が糸切り手段を検知姿勢のまま保持するようになっている。したがって、不用意な振動によって糸切り手段が姿勢変更してしまうような誤作動を防止することができるとともに、不正行為が行われた場合には、その事実をより確実に検知することができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】球送りユニットを前側から示した説明図である。
【図５】球送りユニットを片開きした状態を示した説明図である。
【図６】球送りユニットの内部を示した断面説明図である。
【図７】（ａ）は糸切り部材を、（ｂ）は弾性部材を、（ｃ）は糸切り部材と弾性部材との連係を夫々後側から示した斜視説明図である。
【図８】糸切り部材が通常姿勢にある場合を示した説明図である。
【図９】糸切り部材が通常姿勢にある場合を示した説明図である。
【図１０】糸切り部材の軸着部の断面を示した説明図である。
【図１１】糸切り部材が検知姿勢にある場合を示した説明図である。
【図１２】糸切り部材が検知姿勢にある場合を示した説明図である。
【図１３】パチンコ機の制御機構を示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むように電動役物７０等を備えたセンター部材２６が遊技盤２に設置されており、該センター部材２６の下方には、遊技球が入賞可能な始動入賞口１９が設けられている。また、センター部材２６の左方には、遊技球が流下可能な左打ち用スペースＳＬが形成されており、左打ち用スペースＳＬを流下する遊技球に限り、始動入賞口１９へ入賞し得るようになっている。
【００１２】
一方、センター部材２６の右方にも遊技球が流下可能な右打ち用スペースＳＲが形成されている。また、該右打ち用スペースＳＲには、遊技球が通過可能なゲート部材２０と、動作可能な舌片（図示せず）を備えた始動入賞役物１７とが設けられている。該始動入賞役物１７は、舌片の作動に伴い、内蔵された入賞口（図示せず）への遊技球の入賞を可能とする開状態と、入賞口への遊技球の入賞を不可能とする閉状態との何れか一方の状態へ変化するようになっている。さらに、右打ち用スペースＳＲの下部（センター部材２６の下方で、始動入賞口１９の右側となる位置）には、開閉可能な扉部材を有する２つの大入賞アタッカー１８ａ、１８ｂが設置されている。そして、遊技球を左打ち用スペースＳＬではなく右打ち用スペースＳＲを流下させることにより、ゲート部材２０を通過させたり、開状態にある始動入賞役物１７へ入賞させたり、さらには開成した大入賞アタッカー１８ａ、１８ｂへ効率良く入賞させることができる。なお、センター部材２６の左右を問わず、遊技領域１６の略全面には多数の遊技釘（図示せず）が植設されている。また、遊技領域１６外となる遊技盤２の右下部には、特別図柄を表示するための７セグメント表示器からなる特別図柄表示部（図示せず）が設けられている。
【００１３】
また、機枠３の前面側であって上記遊技盤２の下方には、発射装置１０（図５に示す）へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
さらに、前扉４の上部及び下部には、効果音や各種メッセージ等を報音する夫々一対のスピーカ１４、１４が設けられている。加えて、前扉４の上部や左右両側部には、パチンコ機１の遊技状態等に応じて点灯・点滅する複数のＬＥＤを内蔵したランプ部材１５、１５・・が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置６１（図１３に示す）、演出用表示部６における表示動作等を制御する表示制御装置６３（図１３に示す）、ランプ部材１５の点灯／点滅動作等を制御する発光制御装置６４（図１３に示す）、スピーカ１４からの報音動作を制御する音制御装置６５（図１３に示す）、及び表示制御装置６３や音制御装置６５等の動作を統合的に制御するサブ制御装置６２（図１３に示す）等が設置されている。尚、２２は、パチンコ機１をトランスに接続するためのプラグであり、２７は、アースである。
【００１５】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させて始動入賞口１９への遊技球の入賞を狙う。そして、遊技球の入賞検知に起因して実行される所謂大当たり抽選の結果が「大当たり」になると、特別図柄表示部及び演出用表示部６に夫々所定の「大当たり図柄」が確定表示される（たとえば、演出用表示部６に「７、７、７」と確定表示させる）。また、「大当たり図柄」が確定表示されると、大入賞アタッカー１８ａ、１８ｂの扉部材を所定回数にわたって断続的に開成させるといった所謂「大当たり状態」が生起する。そこで、遊技者は、右打ち用スペースＳＲを流下させる「右打ち」を行い、断続的に開成する大入賞アタッカー１８ａ、１８ｂへの遊技球の入賞を狙う。
【００１６】
また、大当たり状態終了後、特別図柄表示部での図柄の確定表示回数が所定回数に達するまで、始動入賞役物１７が頻繁に開状態となる所謂時短状態が生起する。そこで、遊技者は、当該時短状態が終了するまで「右打ち」を継続して、ゲート部材２０への遊技球の通過、及び始動入賞役物１７への遊技球の入賞を狙う。そして、図柄の確定表示回数が所定回数に達して時短状態が終了すると、「右打ち」を止めて左打ち用スペースＳＬを流下させる上記遊技へと戻る。
【００１７】
（不正行為検知機構についての説明）
ここで、本発明の要部となる不正行為検知機構について、図４〜図１３にもとづき詳細に説明する。
図４は、球送りユニット４０を前側から示した説明図である。図５は、球送りユニット４０を片開きした状態を示した説明図である。図６は、球送りユニット４０の内部を示した断面説明図である。図７（ａ）は糸切り部材３０を、（ｂ）は弾性部材５０を、（ｃ）は糸切り部材３０と弾性部材５０との連係を夫々後側から示した斜視説明図である。図８及び図９は、糸切り部材３０が通常姿勢にある場合を示した説明図である。図１０は、糸切り部材３０の軸着部の断面を示した説明図である。図１１及び図１２は、糸切り部材３０が検知姿勢にある場合を示した説明図である。図１３は、パチンコ機１の制御機構を示した説明図である。
【００１８】
供給皿７や貯留皿８の後側には、球送りユニット４０が上下方向を軸として前開き可能に設置されている。球送りユニット４０は、供給皿７内の遊技球を発射装置１０へ送り込む整流路の一部を構成する球送り流路４１を内蔵したケース体であって、前面側には、供給皿７側から流下してきた遊技球を球送り流路４１内へ導くための進入口４２が、後面側には、球送り流路４１内を流下した遊技球を発射装置１０側へ送り出すための送出口４３が夫々開設されている。また、この球送りユニット４０の後側で、送出口４３に隣接した位置には、送出口４３から送り出された遊技球を発射通路１３へ向けて打ち出す発射装置１０が設置されている。
【００１９】
そして、球送りユニット４０の後面で送出口４３に隣接しており（発射装置１０の近傍）、且つ、発射装置１０からの遊技球の発射方向で下流側となる位置に、遊技球に付着された糸状部材を切断するための糸切り部材３０が設けられているとともに、該糸切り部材３０の近傍に、糸切り部材３０の姿勢を保持するための弾性部材５０と、糸切り部材３０の姿勢変更を検知し、ひいては不正行為を検知するためのフォトセンサ６０とが設けられている。
【００２０】
糸切り部材３０は、薄い金属板からなるもので、切り起こし状に形成された糸切り部３１ａを有する本体３１と、本体３１から上方へ延設された検知片３２とを備えている。また、前側から見て本体３１の右端部（図７では左端部であって、糸切り部３１ａよりも左右方向で本体３１の端側に位置している）には、本体３１を球送りユニット４０の後面へ回動自在に軸着するための軸孔３４が穿設されている。さらに、前側から見て本体３１の左端部（図７では右端部）は、先端へ向かうにつれて先細りとなるように形成されており、その先端部は、後述するように被保持部３３として機能するようになっている。
【００２１】
弾性部材５０は、糸切り部材３０同様の薄板体であって、球送りユニット４０に固定するための固定孔５１ａを有する本体５１と、本体５１から後方へ折り曲げられているとともに、その先端が上方へ立ち上げられてなる保持片５２とを有する。そして、糸切り部材３０の姿勢変更等に応じて、弾性部材５０のうち特に保持片５２が左右方向へ撓んだり、直立に復帰したりすることで、糸切り部材３０を各姿勢で保持したり、姿勢変更を許容したりする。
【００２２】
上述したような糸切り部材３０及び弾性部材５０と、フォトセンサ６０とは次のような位置関係で取り付けられる。まず、糸切り部材３０は、軸孔３４を右側、被保持部３４を左側へ夫々向けた際、検知片３２が上側に、糸切り部３１ａが下側に夫々位置し、さらに特に糸切り部３１ａが発射装置１０からの遊技球の発射先に位置するような姿勢で、前後方向を軸として回動自在に取り付ける。このとき、図１０に示すように、糸切り部材３０を軸着するビス４５を糸切り部材３０の表面から浮かせた状態とすることにより、糸切り部材３０に対して弱い力がかかるだけで回動するようにする。また、弾性部材５０は、糸切り部材３０の左側で、糸切り部材３０をその被保持部３４が左側を向く通常姿勢とした際に、被保持部３３の先端が保持片５２の表面に当接して、保持片５２を左側へ押圧するような位置にネジ止めする。さらに、フォトセンサ６０は、糸切り部材３０の上側で、糸切り部材３０の上記通常姿勢からの姿勢変更に伴う検知片３２の移動軌跡上に設けられている。すなわち、糸切り部材３０が上記通常姿勢にあると、検知片３２とフォトセンサ６０とは離隔しており、糸切り部材３０が回動して後述するような検知姿勢へと姿勢変更すると、検知片３２がフォトセンサ６０で検知されるようになっている。
【００２３】
なお、フォトセンサ６０による糸切り部材３０の姿勢検知、ひいては不正行為の検知に係る制御機構について説明すると、図１３に示すように、フォトセンサ６０はメイン制御装置６１に接続されている。そして、メイン制御装置６１では、フォトセンサ６０によって糸切り部材３０の検知片５２が検知されたことをもって糸切り部材３０が検知姿勢にあると判断するとともに、検知片５２が所定時間（たとえば３秒間）にわたり連続して検知されると、パチンコ機１外へ不正検知信号を送信し（すなわち、所定の不正検知制御を実行し）、たとえば遊技ホールの島設備に設けられたランプ（図示せず）を点灯／点滅させたり、遊技ホールのホールコンピュータ（図示せず）のモニターに不正行為が検知された旨を表示させたりして、不正行為が検知された事実を報知する。
【００２４】
そして、上記不正行為検知機構での不正検知について具体的に説明すると、糸状部材が付着された遊技球が発射されると、当該糸状部材は、遊技球の発射先に位置する糸切り部材３０の糸切り部３１ａに極めて高い確率で干渉する。したがって、糸状部材が釣り糸のようなものであると、糸切り部３１ａとの摩擦により糸状部材は切断されることになる。また、このとき糸切り部３１ａにかかる力により、糸切り部材３０はビス４５を中心に回動し、上記通常姿勢から右下がりに傾斜した検知姿勢へと姿勢を変更する。つまり、被保持部３３が保持片５２の弾性力に抗して上側へ移動し、最終的に保持片５２の先端を越えて検知姿勢となる。またこのとき、保持片５２は直ちに直立に復帰し、被保持部３３の下側に入り込んで被保持部３３を支え、糸切り部材３０は検知姿勢のまま保持される。そして、糸切り部材３０が検知姿勢をとることで検知片３２がフォトセンサ６０に検知されることになり、メイン制御装置６１において不正行為の発生が検知される。一方、糸状部材が鉄線やピアノ線等であると、たとえ糸切り部３１ａに干渉したところで切断することはできない。しかしながら、釣り糸等よりも強い力が糸切り部材３０にかかることになるため、糸切り部材３０は確実に検知姿勢へと姿勢を変更し、不正行為の発生が検知されることになる。
【００２５】
（本実施形態のパチンコ機による効果）
以上のような構成を有するパチンコ機１によれば、遊技球に付着された糸状部材を切断するための糸切り部材３０を、前後方向を軸として回動することにより、その姿勢を通常姿勢と検知姿勢との間で変更可能に設けている。そして、通常姿勢にある糸切り部材３０に糸状部材が干渉することにより、糸切り部材３０が回動して通常姿勢から検知姿勢へと姿勢を変更すると、糸切り部材３０の検知片３２がフォトセンサ６０により検知されることで、メイン制御装置６１が糸切り部材の姿勢変更を検知するようになっている。したがって、たとえば遊技ホール側が、糸状部材を用いた不正行為が行われたという事実を把握できる。さらに、鉄線等の切断不可能な糸状部材を使用したとしても、糸状部材を用いた不正行為が行われたという事実は把握されることになるため、不正行為を抑止効果をも期待することができる。
【００２６】
また、糸切り部材３０の被保持部３３に接触する保持片５２を備えた弾性部材５０を設けており、通常姿勢にあっては、被保持部３３の先端が保持片５２の表面に当接して、保持片５２を左側へ押圧した状態とする（すなわち、保持片５２の表面が第１の保持部となる）ことで、糸切り部材３０を通常姿勢のまま保持する一方、保持片５２の弾性力に抗して糸切り部材３０が検知姿勢へと姿勢を変更すると、保持片５２が直ちに直立に復帰し、被保持部３３の下側に入り込んで被保持部３３を支え（すなわち、保持片５２の先端が第２の保持部となる）、糸切り部材３０を検知姿勢のまま保持するようにしている。したがって、不用意な振動によって糸切り部材３０が通常姿勢から検知姿勢へと姿勢変更してしまうような誤作動を防止することができるとともに、不正行為が行われた場合には、その事実をより確実に検知することができる。
【００２７】
さらに、メイン制御装置６１では、フォトセンサ６０によって糸切り部材３０の検知片５２が所定時間にわたり連続して検知されると、パチンコ機１外へ不正検知信号を送信するようになっている。したがって、メイン制御装置６１側でも誤作動の防止を図っており、より精度の高い不正行為の検知が可能となる。
【００２８】
（本発明の変更例について）
なお、本発明の遊技機に係る構成は、上記実施形態に何ら限定されるものではなく、遊技機全体の構成は勿論、不正行為検知機構に係る構成についても、本発明の趣旨を逸脱しない範囲で必要に応じて適宜変更可能である。
【００２９】
たとえば、上記実施形態では、糸切り手段の姿勢を保持する保持手段として保持片を有する弾性部材を設けているが、弾性部材の形状や構造は適宜変更可能であるし、たとえばビス等による軸着に係る強度を調整することで、たとえば保持手段を設けない不正行為検知機構とすることも可能である。
また、糸切り手段を強磁性体とすることにより、磁石球等が用いられた場合には、その磁石球を吸着させるように構成することも可能である。
【００３０】
さらに、上記実施形態では、糸切り手段が検知姿勢にあることを検知すると、遊技機外へ信号を送信するといった不正検知制御を実行するように構成しているが、たとえば遊技機内において、発射装置を停止させたり、演出用表示部に警告メッセージを表示したり、スピーカから警告音を報音させたりといった不正検知制御を実行するように構成することも可能である。
さらにまた、上記実施形態では、糸切り手段が検知姿勢になった際に検知片がフォトセンサに検知されるように構成しているが、そのような構成にかえて、糸切り手段が通常姿勢にある際に検知片がフォトセンサに検知されており、検知姿勢へと姿勢変更することで検知片がフォトセンサにより検知されなくなるようにし、当該検知結果をもって制御手段が糸切り手段の検知姿勢への姿勢変更を判断するように構成することも可能である。
【００３１】
加えて、上記実施形態では、メイン制御装置によって糸切り手段の姿勢を検知するように構成しているが、サブ制御装置によって糸切り手段の姿勢を検知するように構成することも可能である。
なお、特許請求の範囲、明細書および図面に記載される全ての要素（例えば、発射手段、糸切り手段、検知手段、保持手段等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、全ての要素のうちの複数の要素を適宜一体的に構成するか、もしくはひとつの要素を複数の要素に分けて構成するかは、敢えて特許請求の範囲等において特定していない限り、何れも当業者であれば容易に考えられる事項である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３２】
１・・パチンコ機（遊技機）、１０・・発射装置（発射手段）、１６・・遊技領域、３０・・糸切り部材（糸切り手段）、３１・・本体、３１ａ・・糸切り部、３２・・検知片、３３・・被保持部、４０・・球送りユニット、４３・・送出口、５０・・弾性部材（保持手段）、５１・・本体、５２・・保持片、６０・・フォトセンサ（検知手段）、６１・・メイン制御装置（検知手段）、６２・・サブ制御装置。
【図１】
2018201687.tif 000003
【図２】
2018201687.tif 000004
【図３】
2018201687.tif 000005
【図４】
2018201687.tif 000006
【図５】
2018201687.tif 000007
【図６】
2018201687.tif 000008
【図７】
2018201687.tif 000009
【図８】
2018201687.tif 000010
【図９】
2018201687.tif 000011
【図１０】
2018201687.tif 000012
【図１１】
2018201687.tif 000013
【図１２】
2018201687.tif 000014
【図１３】
2018201687.tif 000015